(57)【要約】【課題】【解決手段】リザーバモジュール１０と、該リザーバモジュールに取り外し可能に接続された供給及び作動モジュール３０とを備える製品の分与装置、好ましくは注射装置であって、前記リザーバモジュール１０が、ａ）供給可能な製品に対するリザーバ２と、阻止装置８；３８と、第一の接続装置３ａ；３ｄとを備える前記製品の分与装置の前側ケーシング部分１、３と、ｂ）ピストンが製品を排出し得るようにリザーバ出口に向けて前進方向に変位し得るように前記リザーバ２内に受け入れられたピストンと、ｃ）前記阻止装置８；３８と阻止係合状態にある戻し阻止手段６を備え、該阻止係合が前記ピストンロッド４が前記前側ケーシング部分１、３に対して前記前進方向と反対方向に動くのを防止するピストンロッド４とを備え、前記供給及び作動モジュール３０が、ｄ）前記第一の接続装置３ａ、３ｄと共に、リザーバモジュール１０と供給及び作動モジュール３０との間に取り外し可能な接続を形成する第二の接続装置２０、２１、１１ｄを備える製品分与装置の後側ケーシング部分１１と、ｅ）製品の投与量を選ぶための供給動作及び製品の投与量を排出するための排出動作をケーシング部分１、３、１１の少なくとも一方に対して行うことができるように使用される供給及び駆動装１２；３２とを備え、ｆ）製品の分与装置が前記排出動作の間供給及び駆動装置１２；３２により前進方向に移動する投与量設定部材９；３９であって、該投与量設定部材がピストンロッド４と共に前進方向に移動し且つ前進方向と反対方向にピストンロッド４に対して移動するようにピストンロッド４と係合する前記投与量設定部材を更に備える、製品分与装置である。
2004535902.tif 000002
【特許請求の範囲】
【請求項１】
リザーバモジュール（１０）と、該リザーバモジュールに取り外し可能に接続された供給及び作動モジュール（３０）とを備える製品分与装置、好ましくは、注射装置において、前記リザーバモジュール（１０）が、
ａ）供給可能な製品に対するリザーバ（２）と、阻止手段（８；３８）と、第一の接続手段（３ａ；３ｄ）とを備える、前記製品分与装置の前側ケーシング部分（１、３）と、
ｂ）ピストンが製品を排出し得るようにリザーバ出口に向けて前進方向に変位するように前記リザーバ（２）内に受け入れられたピストンと、
ｃ）前記阻止手段（８；３８）と阻止係合状態にある戻し阻止手段（６）を備えるピストンロッド（４）であって、該阻止係合が前記ピストンロッド（４）が前記前側ケーシング部分（１、３）に対し前記前進方向と反対方向に動くのを防止する前記ピストンロッド（４）とを備え、
前記供給及び作動モジュール（３０）が、
ｄ）前記第一の接続手段（３ａ、３ｄ）と共に、リザーバモジュール（１０）と供給及び作動モジュール（３０）との間に取り外し可能な接続部を形成する第二の接続手段（２０、２１、１１ｄ）を備える製品分与装置の後側ケーシング部分（１１）と、
ｅ）製品の投与量を選ぶための供給動作及び製品の投与量を排出するための排出動作をケーシング部分（１、３、１１）の少なくとも一方に対して行うために使用される供給及び駆動装置（１２；３２）とを備え、
ｆ）製品分与装置が、前記排出動作の間、供給及び駆動装置（１２；３２）により前進方向に移動する投与量設定部材（９；３９）であって、該投与量設定部材がピストンロッド（４）と共に、前進方向に移動し且つ前進方向と反対方向にピストンロッド（４）に対し移動するようにピストンロッド（４）と係合する前記投与量設定部材を更に備える、製品分与装置。
【請求項２】
第一の接続手段（３ａ、３ｄ）及び第二の接続手段（２０、２１、１１ｄ）が、前側ケーシング部分（１、３）が後側ケーシング部分（１１）に接続されたとき、前側ケーシング部分（１、３）及び後側ケーシング部分（１１）が互いに対し回転するのを防止する軸方向線形案内部（３ｄ、１１ｄ）を形成する、請求項１に記載の製品分与装置。
【請求項３】
第一の接続手段（３ａ、３ｄ）が第一の掛止め要素（３ａ）を備え、第二の接続手段（２０、２１、１１ｄ）が第二の掛止め要素（２１）を備え、前記掛止め要素（３ａ、２１）が、ケーシング部分（１、３、１１）を互いに軸方向に固定し得るよう掛止め係合状態にある、請求項１又は２に記載の製品分与装置。
【請求項４】
掛止め要素（３ａ、２１）の少なくとも１つ（２１）が弾性力に抗してケーシング部分（１、３、１１）の１つ（１１）に対し半径方向に可動であるように接続される、請求項１から３の何れか１つに記載の製品分与装置。
【請求項５】
前記投与量設定部材（９；３９）が、ケーシング部分（１、３、１１）の１つ（１、３）により軸方向に且つ直線状に案内される、請求項１から４の何れか１つに記載の製品分与装置。
【請求項６】
投与量設定部材（３９）が、各場合にて取り外し可能に予め設定された回転角度位置にてケーシング部分（１、３、１１）の１つ（１、３）と係合し、係合したとき、好ましくは軸方向に且つ直線状に案内され且つ、該係合が係止係合であることが好ましい、請求項１から５の何れか１つに記載の製品分与装置。
【請求項７】
一方が投与量設定部材（３９）に形成され、その他方がケーシング部分（１、３、１１）の一方（１、３）に形成され且つ、互いに係止係合した係止突起（３ｇ）及び係止凹所（３９ｇ）が、戻し弾性力に抗して係止係合状態外に動くことができるようにした、請求項１から６の何れか１つに記載の製品分与装置。
【請求項８】
投与量設定部材（３９）が、投与量設定部材（３９）が供給端部位置にあるとき、ケーシング部分（１、３、１１）の１つと阻止係合状態にある少なくとも１つのストッパ（３９ｈ、３９ｉ）を備え、該阻止係合が、さもなければ前進方向と反対方向へピストンロッド（４）による応答動作を生じさせるであろう投与量設定部材（３９）の動きを防止する、請求項１から７の何れか１つに記載の製品分与装置。
【請求項９】
前側ケーシング部分（１、３）が、投与量設定部材（９；３９）に対する排出ストッパ（３ｃ）を形成し、該排出ストッパが、前進方向への供給動作を制限する、請求項１から８の何れか１つに記載の製品分与装置。
【請求項１０】
供給及び駆動装置（３２）並びに投与量設定部材（３９）が互いに係合し、該係合が、供給動作の間、投与量設定部材（３９）を従動させ且つ供給及び駆動装置（３２）が投与量設定部材（３９）に対し前進方向に且つ前進方向と反対方向に動くのを許容し、投与量設定部材（３９）が供給及び駆動装置（３２）に対するストッパ（３９ｃ）を形成し、供給及び駆動装置（３２）がその排出動作の間、該ストッパを押して、投与量設定部材（３９）を前進方向に動かすようにした、請求項１から９の何れか１つに記載の製品分与装置。
【請求項１１】
供給及び駆動装置（１２）及びピストンロッド（４）が互いに係合し、該係合が、供給動作の間、ピストンロッド（４）を従動させるが、供給及び駆動装置（１２）がピストンロッド（４）に対して排出動作するのを許容する、請求項１から９の何れか１つに記載の製品分与装置。
【請求項１２】
供給動作が、ピストンロッド（４）の長手方向軸線（Ｌ）の周りの回転動作である、請求項１から１１の何れか１つに記載の製品分与装置。
【請求項１３】
ピストンロッド（４）及び投与量設定部材（９；３９）が互いに螺着係合した、請求項１から１２の何れか１つに記載の製品分与装置。
【請求項１４】
最大３０ゲージのカニューレ、好ましくは３１又は３２ゲージカニューレ又はＩＳＯ９６２６にて規定されていない外径及び内径の組み合わせを呈し、最大３２０μｍの外径と、可能な限り薄い肉厚とを有するカニューレが製品分与装置の注射カニューレを形成する、請求項１から１３の何れか１つに記載の製品分与装置。
【請求項１５】
製品分与装置、好ましくは注射装置用のリザーバモジュールにおいて、
ａ）供給可能な製品に対するリザーバ（２）と、阻止手段（８；３８）と、製品分与装置の供給及び駆動モジュール（３０）に対する接続を確立する接続手段（３ａ；３ｄ）とを備える前記製品の分与装置の前側ケーシング部分（１、３）と、
ｂ）ピストンが製品を排出し得るようにリザーバ出口に向けて前進方向に変位するように前記リザーバ（２）内に受け入れられたピストンと、
ｃ）投与量設定部材が供給動作及び排出動作を行い得るよう動くことができるように前記前側ケーシング部分（１、３）によって受け入れられた投与量設定部材（９；３９）と、
ｄ）前記供給動作によって前記ピストンロッド（４）が前進方向に動かないように前記投与量設定部材（９；３９）に接続され且つ、前側ケーシング部分（１、３）により保持されたピストンロッド（４）とを備え、
ｅ）ピストンロッド（４）が、前記阻止手段（８；３８）と阻止係合状態にある戻り阻止手段（６）を備え、該阻止係合状態が、ピストンロッド（４）が前側ケーシング（１、３）に対し前進方向と反対方向に動くのを防止するようにした、リザーバモジュール。
【請求項１６】
阻止手段（８；３８）及びピストンロッド（４）が固定係合状態にあり、該固定係合状態が、ピストンロッド（４）が該ピストンロッドが前進方向に動く前に位置していた位置に戻るの防止し、固定係合が解放可能ではない、請求項１５に記載のリザーバモジュール。
【請求項１７】
阻止手段（８；３８）と戻し阻止手段（６）との間の固定係合が固定係合状態を形成する、請求項１６に記載のリザーバモジュール。
【請求項１８】
前側ケーシング部分（１、３）が、リザーバ（２）を有するスリーブ形状リザーバ部分（１）と、スリーブ形状の機構ホルダ（３）とを備え、該リザーバ部分及び機構ホルダが別個に製造され且つ互いに接続され、ユーザが破壊せずに接続部を解放することができないようにし、該機構ホルダ（３）がピストンロッド（４）を保持するようにした、請求項１５から１７の何れか１つに記載のリザーバモジュール。
【請求項１９】
機構ホルダ（３）が、排出動作を制限し得るように投与量設定部材（９；３９）に対する供給ストッパ（３ｃ）を形成し、供給動作が投与量設定部材（９；３９）を前記供給ストッパ（３ｃ）から離れて前進方向と反対方向に動かすようにした、請求項１８に記載のリザーバモジュール。
【請求項２０】
前側ケーシング部分（１、３）が、投与量設定部材（９；３９）に対する摺動案内部を形成する、請求項１５から１９の何れか１つに記載のリザーバモジュール。
【請求項２１】
前側ケーシング部分（１、３）が、投与量設定部材（９；３９）を軸方向に且つ直線状に案内する、請求項１５から２０の何れか１つに記載のリザーバモジュール。
【請求項２２】
投与量設定部材（３９）が、予め設定された回転角度位置にて前側ケーシング部分（１、３）と各場合にて取り外し可能に係合し、係合したとき、好ましくは軸方向に且つ直線状に案内され、該係合が係止係合であることが好ましい、請求項２１に記載のリザーバモジュール。
【請求項２３】
その一方が前側ケーシング部分（１、３）に形成され、その他方が投与量設定部材（３９）に形成された係止突起（３ｇ）及び係止凹所（３９ｇ）が互いに係止係合し且つ、戻し弾性力に抗して係止係合状態外に動くことができるようにした、請求項２２に記載のリザーバモジュール。
【請求項２４】
少なくとも１つの直線状の軸方向案内領域を備える軸方向案内部（３ｄ）が、前側ケーシング部分（１、３）に形成され、後側ケーシング部分（１１）に形成された係合部材と協働して、前側ケーシング部分（１、３）と後側ケーシング部分（１１）との間に線形案内部を形成するようにした、請求項１５から２３の何れか１つに記載のリザーバモジュール。
【請求項２５】
投与量設定部材（３９）及び前側ケーシング部分（１、３）の各々が、投与量設定部材（３９）の前方供給端部位置にて係合する少なくとも１つのストッパ（３ｈ、３９ｈ）を備え、さもなければピストンロッド（４）によって前進方向と反対方向への応答動作を生じさせる投与量設定部材（３９）の動きを防止する、請求項１５から２４の何れか１つに記載のリザーバモジュール。
【請求項２６】
阻止手段（３８）が前側ケーシング部分（１、３）に移動不能に接続され且つ、ピストンロッド（４）が前側ケーシング部分（１、３）に対して回転するのを防止する回転阻止部を形成する、請求項１５から２６の何れか１つに記載のリザーバモジュール。
【請求項２７】
阻止手段（８）が、前側ケーシング部分（１、３）によって取り付けられ、該阻止手段がピストンロッド（４）の長手方向軸線の周りで回転可能であるが、前進方向と反対方向には動くことができないようにした、請求項１５から２５の何れか１つに記載のリザーバモジュール。
【請求項２８】
ピストンロッド（４）が前進ブレーキ手段（７）を備え、前側ケーシング部分の阻止手段（８）が該前進ブレーキ手段（７）とブレーキ係合し、該ブレーキ係合がピストンロッド（４）が前進方向に動くのをより困難にする、請求項１５から２７の何れか１つに記載のリザーバモジュール。
【請求項２９】
ピストンロッド（４）の戻し阻止手段（６）が少なくとも横一列の鋸歯状歯によって形成される、請求項１５から２８の何れか１つに記載のリザーバモジュール。
【請求項３０】
リザーバモジュール（１０）が、リザーバ（２）が空になったならば、その全体を交換し得るように提供される使い捨て型モジュールである、請求項１５から２９の何れか１つに記載のリザーバモジュール。
【請求項３１】
請求項１から１４の何れか１つに記載の製品の分与装置と、該製品の分与装置の一部を形成し且つ、同様に請求項１５から３０の何れか１つに記載したように形成されたリザーバモジュール（１０）に対する交換モジュールとして提供される、請求項１５から３０の何れか１つに記載の少なくとも１つのリザーバモジュールとから成るシステム。
【発明の詳細な説明】
【技術分野】
【０００１】
本発明は、ピストンロッドを取り付けるリザーバモジュール及びかかるリザーバモジュールを備える製品分与装置に関する。１つの好ましい実施の形態において、製品分与装置は、例えば、医療、治療、診断、薬理学的又は化粧品を目的とする注射装置又は吸入装置のような投与装置である。注射装置の好ましい例は、注射ペン、特に、半使い捨て型ペンである。
【０００２】
国際出願ＷＯ９７／１７０９５号には、互いに取り外し可能に接続された供給及び作動モジュールと、リザーバモジュールとから成る注射装置が記載されている。リザーバモジュールは、使い捨て型モジュールの設計とされている一方、供給及び作動モジュールは、リザーバモジュールを使用したならば、新たなリザーバモジュールと共に再使用することを目的とする。リザーバモジュールは、注射すべき製品のリザーバを保持し且つ、リザーバ内に受け入れられたピストンに作用して製品を排出するピストンロッドを取り付ける。ピストンロッドは、投与量設定部材の内ねじと螺着係合した外ねじを備えている。ピストンロッドは、直線状に案内され、投与量設定部材が回転したとき、ピストンロッドがピストンに向けて動き、このため、ピストンロッドの前端とピストンとの間の僅かな距離が変化する。リザーバモジュールは、また投与量設定部材を取り付け、従って、リザーバが空になったならば、リザーバと共に単一のモジュールとして処分されるピストンロッドと、投与量設定部材とを備えている。
【０００３】
半使い捨て型注射装置の設計の１つの有利な点は、供給及び排出に関係する注射装置の部品を単一のリザーバの中身を排出し得る形態とすればよい点である。このことは、これら部品の価格を削減することになる。繰り返して使用されるならば、かかる部品は、常にユーザが最初の位置に再度案内して戻さなければならないため、これらの部品は、過少評価すべきでない損傷の虞れに更に露呈されることになろう。このため、投与量を正確に選び且つ供給するときの信頼性は、完全な再使用型装置よりも半使い捨て型注射装置にて低くてよいということにはならない。更に、完全なリザーバモジュールを交換することはリザーバのみを交換する場合よりも簡単である。
【０００４】
既知の装置の投与量設定部材は、リザーバモジュールのケーシングにより支持された圧力ばねによって製品が供給される位置たる後方位置に押し込む。製品を供給することにより、ピストンロッドは、投与量設定部材及びリザーバモジュールのケーシングに対しピストンに向けて前進する。供給及び作動モジュールのケーシング内に取り付けられ且つ、投与量設定部材の後側当接領域を押す供給及び作動装置によって製品が供給される。供給及び作動装置は、投与量設定部材を押し、また、螺着係合のため、該投与量設定部材と共にピストンロッドを前進方向に押す。
【０００５】
本発明の１つの目的は、製品の投与量を正確に選び且つ供給する場合の信頼性を保ちつつ、ピストンロッドの取り付け部として機能するリザーバモジュールを使用して、製品分与装置、特に、注射装置の価格を更に削減することである。
【０００６】
本発明は、互いに取り外し可能に接続されたリザーバモジュールと、供給及び作動モジュールとを備える製品分与装置、特に、注射装置に関する。製品分与装置は、既に、これらの３つのモジュールのみにて製造されている。リザーバモジュールは、好ましくは流体的で且つ注射し得ることが特に好ましい、供給すべき製品に対するリザーバを有する製品分与装置の前側ケーシング部分と、第一の接続手段とを備えている。ピストンを前進方向に変位させることにより製品が排出されるようにピストンがリザーバ内に受け入れられている。リザーバモジュールは、前側ケーシング部分により保持されたピストンロッドを更に備えている。最後に、リザーバモジュールは、注射針と、又は例えば、針無し注射用のノズルとを備えることができる。
【０００７】
リザーバは、ケーシングによって受け入れられた容器によって形成することができる。アンプルは、特に、例えば、リザーバを形成することができる。しかし、原理上、リザーバは、ケーシング自体により、すなわち製品の容器を介在させずに直接形成することもできる。製品は、医療、治療、診断、薬理学的又は化粧品用途の液体であることが好ましい。
【０００８】
製品は、例えば、インシュリン又は成長ホルモンとすることができる。製品分与装置は、注射装置であることが好ましく且つ、例えば糖尿病の治療にて一般的であるようにユーザが製品を自分自身で自己投与する用途にて採用されることが好ましい。しかし、専門の従業者が入院患者又は外来患者の場にて該投与装置を使用することを排除するものではない。製品を投与分毎に分与することが必要であり又は単に望ましいその他の用途において、製品は、例えば、ペーストとすることができる。
【０００９】
ピストンロッドは、固定状態に、すなわち恒久的にピストンに接続することができ、これにより、ピストン及びピストンロッドを単一体として形成することも理解すべきである。しかし、１つの好ましい実施の形態において、ピストン及びピストンロッドは、別個の構成要素として具体化され、ピストンロッドの前端が製品を排出する目的のため、ピストンの後側部を押すようにする。
【００１０】
供給及び作動モジュールは、製品分与装置の後側ケーシング部分を備えており、該後側ケーシング部分は、第一の接続手段と共に、リザーバモジュールと供給及び作動モジュールとの間に取り外し可能な接続部を形成する第二の接続手段を備えている。前側ケーシング部分及び後側ケーシング部分は、装置のケーシングの全体を形成することが好ましい。第一及び第二の接続手段は、例えば、回転接続部、特にねじ接続部を形成することができる。しかし、より好ましくは、２つのケーシング部分を互いに直線状に滑らせ、第一の接続手段及び第二の接続手段が２つのケーシング部分が互いに対し回転するのを防止する線形案内部を形成するようにする。更に、これらは、互いに掛止め手段を形成し、互いの上を滑るケーシング部分の領域は単に引張って再度分離させることができないようにすることが好ましい。
【００１１】
供給及び作動モジュールは、製品の投与量を選ぶための供給動作と、製品の投与量を排出するための排出動作とを接続したケーシング部分に対して行うために使用される供給及び駆動要素を更に備えている。
【００１２】
接続手段が掛止め手段を形成するならば、該掛止め手段は、供給及び駆動装置の駆動要素又は供給及び駆動要素の前端位置にて２つのケーシング部分を互いに掛止めすることのみを許容する掛止め阻止部を備えることが好ましい。
【００１３】
最後に、製品分与装置は、排出動作の間、供給及び駆動装置により前進方向に移動する投与量設定部材を備えており、該投与量設定部材は、ピストンロッドの各々及びケーシング部分の少なくとも１つと係合し、該投与量設定部材がピストンロッドと共に前進方向にのみ動くことができ且つ、供給及び駆動装置の供給動作によってピストンロッドに対して前進方向と反対方向に動くようにする。ピストンロッドとの係合は螺着係合であることが好ましい。しかし、原理上、該係合は、投与量設定部材がピストンロッドに対して前進方向と反対方向に動くのを許容するが、投与量設定部材がピストンロッドに対し前進方向に動くのを防止する歯付き係合のような異なる形態として形成することができる。投与量設定部材は、原理上、供給及び作動モジュールの１つの構成要素とすることができるが、リザーバモジュールの１つの構成要素であることが好ましい、すなわち、リザーバモジュールを供給及び作動モジュールに接続する前に、リザーバモジュールに既に保持されていることが好ましい。
【００１４】
本発明によれば、前側ケーシング部分は、阻止手段を備え、ピストンロッドは、互いに阻止係合状態にある戻り阻止手段を備えており、該阻止係合状態は、ピストンロッドが前側ケーシング部分に対し前進方向に動くのは許容するが、前進方向と反対方向に動くのは防止する。望ましい副次的効果として、阻止係合状態はまた、製品の投与量が選ばれる間、ピストンロッドが前側ケーシング部分に対し前進方向に動かないことを単独にて保証することができる。ピストンロッドがこの目的のため、阻止係合状態によってのみ十分確実に固定されていないならば、阻止手段は、また追加的な摩擦力を付与することにより、製品の投与量が選ばれる間、ピストンロッドが前進方向に動くのを防止するブレーキ手段も備えている。
【００１５】
本発明の製品投与装置において、国際出願９７／１７０９５号の装置と比較して、供給過程の間、ピストンロッド及び投与量設定部材がその最後方位置をとることを保証する、既知の装置における圧力ばねが不要となる。部品を不要にすることは、同時にコストを削減することをも意味する。リザーバモジュールの側部にて整列される部品数が減少することによりこの削減効果は増強される。本発明によるリザーバモジュールは、使い捨て型モジュールとして設計されることが好ましいから、削減効果は、かかるリザーバモジュールが交換される毎にそれ自体、認識させることになる。
【００１６】
投与量設定部材が供給及び駆動装置の供給動作に関与するならば、２つのモジュールを接続することにより実現される、このために必要とされる供給及び駆動装置と投与量設定部材との間の結合を確立するとき、投与量設定部材の供給動作が行い得ないことが好ましいように保証される。この目的のため、投与量設定部材及び供給要素又は投与量設定部材に結合すべき供給及び駆動装置の組み合わさった供給及び駆動要素は、モジュールを接続するとき、供給動作に対し予め設定された位置に互いに対し保持される。供給動作が排出動作の方向を指す回転軸線の周りの回転動作であるならば、供給量設定部材及び供給要素又は供給又は駆動要素は、モジュールを接続するとき、予め設定された回転角度位置にて互いに対して保持される。投与量設定部材及び供給要素又は供給及び駆動要素が予め設定された回転角度位置にて前側ケーシング部分及び後側ケーシング部分によりそれぞれ保持されるならば、ケーシング部分の上述した線形案内部は、結合を確立することにより投与量設定部材の供給動作が生じないことを好ましいように保証することができる。モジュールが接続されたとき、ケーシング部分が互いに対し回転動作を行うならば、投与量設定部材の供給動作は別の仕方にて防止される。
【００１７】
製品分与装置は、ピストンロッドの最前方位置においてのみ供給及び作動要素からリザーバモジュールを分離することが可能であることを保証する阻止部を備えることができる。リザーバモジュールが再使用されることを確実に防止するため、この場合、ピストンロッドをその最前方位置に保持し、ユーザがピストンロッドを軸方向位置に戻すことができないようにし、該軸方向位置にて、リザーバを交換したならば、同一のピストンロッドを使用して製品を再度排出することができる。しかし、好ましくは、ピストンロッドに形成された戻し阻止手段と前側ケーシング部分の阻止手段との間の阻止係合は、製品の投与分の各々を個々に排出した後、ピストンロッドを保持し、ピストンロッドがその前の軸方向位置に移動するのを防止する。ピストンロッド及びリザーバが互いに分離することができないことが更に保証されるならば、リザーバは、ピストンロッドの全ての軸方向位置にて交換されねことが好ましいように防止される。このように阻止係合状態は、同時にピストンロッドの任意の軸方向位置にて確実な係合部も形成する。
【００１８】
好ましい一例としての実施の形態において、ピストンロッドから突き出し且つ好ましくは、規則的に分離した横一列歯を有する鋸歯状歯によって戻し阻止手段が形成される。本発明は、それ自体、供給のため有効であることが既知の歯付きラックの原理を使い捨て型モジュールとして設計されたリザーバモジュール内で有益に採用し、リザーバモジュールのコストを削減し且つ、その結果、特に製品分与システム全体のコストを削減することができる。前進方向及び後側阻止領域内にテーパーが付けられた歯を備える横一列の鋸歯状歯は、また、同時に、阻止係合する毎に、副次的効果として、ピストンロッドが戻るのを防止する固定係合状態を提供する。
【００１９】
ピストンロッドが戻るのを防止する、阻止手段とピストンロッドとの間の固定係合は解放不能である。この点に関して、解放不能とは、ユーザが破壊せずに解放させることができないことを意味する。しかし、リザーバモジュールを閉サイクルに再度進ませ、この場合、製造メーカが特殊な工具を使用して阻止係合を解放することが可能であることを最初から排除するものではない。しかし、例えば、インシュリン又は成長ホルモンを投与するような、自己投与のために製品分与装置を使用するユーザは、リザーバを交換し又は再充填できないことは確実である。
【００２０】
供給及び駆動装置は、手操作、半自動又は全自動で作動させることができる。第一の場合、回転供給動作及び平行移動供給動作の双方が手操作で行われる。第二の場合、回転供給動作又は平行移動排出動作の何れかが手操作で行われ、他方の動作はモータを使用して行うか又は、例えば、ユーザが作動ハンドルを使用して相応する動きを励起させたとき、ばね力のような、別型式の力付与手段により行われる。第三の場合、すなわち、全自動供給及び駆動装置の場合、供給動作及び排出動作は、モータを使用して行い又は例えば、ばね力のような別の力によって行われる。この場合、例えば、１つ又は２つ以上のボタンによって投与量のみが手操作で選ばれ、排出動作は、ユーザがそれ自体の相応する作動ハンドルを使用して同様に励起させる。殆どの実施の形態において、本発明による投与装置の場合、手動の供給及び駆動装置が設けられており、該装置は、以下に供給及び作動装置と称する。このように、供給及び作動装置に言及するとき、それは、手操作の実施の形態に関して説明していることになる。供給及び駆動装置について言及するとき、これは、本発明を手操作、半自動及び全自動に限定せずに、これらの実施の形態の各々を備えることを意図するものである。しかし、「供給及び作動モジュール」という語は、供給及び駆動装置の全ての実施の形態に関して使用する。
【００２１】
供給及び駆動装置は、供給動作を行う供給要素と、排出動作を行う駆動要素を別個に備えることができる。しかし、好ましくは、供給動作及び排出動作は、供給及び駆動装置の同一体により行われ、従って、該装置は、以下に供給及び駆動装置又は供給及び作動要素として説明する。
【００２２】
製品は、医学、治療、診断、薬理学又は化粧品の用途を有する流体であることが好ましく、特に、液体であることが好ましい。製品は、例えば、インシュリン、成長ホルモン又は薄い又は厚い、果肉状食品とすることができる。投与装置は、例えば、糖尿病の治療にて一般的であるようにユーザ自身が製品を投与する用途にて採用されることが好ましい。しかし、専門従事者により入院患者又は外来患者の場にて該装置を使用することを排除するものではない。
【００２３】
注射装置の場合、製品は注射カニューレ又は、例えば、針無し注射用のノズルによって投与することができる。製品は、特に、経皮的に又は静脈を通じて或いは筋肉内に注射し又は注入することができる。吸入によって投与するとき、選んだ製品の投与量は、例えば、リザーバから吸入装置のチャンバ内に排出し且つ蒸発手段によって吸入のたため、蒸発させることができる。更に、幾つかの例を挙げれば、経口摂取とし又は食道を介して投与することも考えられる。
【００２４】
該投与装置は、半使い捨て型であることが特に好ましい。この場合、前側ケーシング部分は、リザーバが空になったならば処分され又はリサイクルされるリザーバモジュールの支持体であり、後側ケーシング部分は、新たなリザーバモジュールと組み合わせて繰り返して使用可能である供給及び作動モジュールの支持体である。リザーバモジュールは使い捨て型モジュールとして別個に処分することもできるから、該モジュールは本発明の別の対象物である。供給及び作動モジュールも本発明の別個の対象物とすることもできる。同様に、一度び使用したならば、装置のリザーバモジュールを置換することのできる投与装置と、少なくとも１つのリザーバモジュールとから成るシステムは、本発明の主題を形成する。１回のみ使用すべく提供される部分と、繰り返して使用されるために提供される部分（半使い捨て型）に分割された投与装置の二重の設計（半使い捨て型）は、特に注射ペンに対して有益であるが、吸入装置又は製品を経口摂取し又は人工的に栄養分を供給する装置にても有益である。
【００２５】
本発明のその他の好ましい実施の形態は、従属請求項に記載されており、この場合、投与装置又はリザーバモジュール或いは供給及び作動装置に関してのみ権利請求した特徴は請求項のその他の主題に関しても好ましい特徴である。
【００２６】
図面に基づいて本発明の一例としての実施の形態に関して以下に説明する。一例としての実施の形態により開示された特徴は、各々が個別に且つ、特徴の任意の組み合わせにて請求項の主題を好ましいように展開させる。一例としてのみ開示された特徴でさえ、その他の例をそれぞれ展開させ、又は代替例を示し、これに反するものは何ら開示されず又は可能な場合のみを示すことを意味するものである。
【００２７】
図１には、図２に図示したリザーバモジュール１０を形成し得るよう互いに接続されたリザーバ部分１及び機構ホルダ３の図が示されている。
更に、図１及び図２において、リザーバ部分１と反対方向を向いた機構ホルダ３の一端にて機構ホルダ３内に突き出すピストンロッドが図示されており、該ピストンロッドは、機構ホルダ３によって取り付けられ、該ピストンロッドはピストンロッド４の長手方向軸線Ｌに向けた前進方向に移動し、機構ホルダ３と反対方向を向いたリザーバ部分１の前端に向かう。リザーバ部分１は、円形の断面を有する実質的に中空な円筒体であり、該リザーバ部分は、注射針用の針ホルダに接続するため、その前端に接続領域を備えている。リザーバ部分１は、一例としての実施の形態において、図３の長手方向断面図にて見ることのできるアンプル２によって形成されたリザーバ容器を受け入れる作用を果たす。アンプル２の前端の出口は膜によって流体密に封止されている。針ホルダがリザーバ部分１の前端に締結されたとき、注射針の後側部分が膜を穿刺し、中空の注射針の先端とリザーバ２との間の流体接続が確立されるようにする。
【００２８】
図３には、注射装置の全体が長手方向断面図で示されている。ピストンがアンプル２内に受け入れられ、該ピストンは、アンプル２の前端に形成された出口に向けて前進方向に変位することができる。ピストンを前進方向に変位させると、製品はアンプル２から押し出され且つ出口及び注射針を通じて製品は排出される。
【００２９】
それ自体が前進したとき、その前端を介してピストンを押し且つ、これによりピストンを前進方向に動かすピストンロッド４によってピストンは前進する。ピストンロッド４は機構ホルダ３によって保持され、特定の抵抗に打ち勝ったならば、ピストンロッドは前進方向に動くことができるが、前進方向と反対方向に動くことはできないようにする。ピストンロッド４は阻止手段８によって前進方向と反対の後方に動くのが防止される。阻止手段８は、機構ホルダ３によって軸方向に固定される、すなわち、該阻止手段は機構ホルダ３内に保持され、阻止手段は前進方向に且つ前進方向と反対方向に動くことはできない。しかし、阻止手段は、長手方向軸線Ｌの周りで回転可能であるように機構ホルダ３によって取り付けられている。阻止手段８は、また前方に動くために打ち勝たなければならない抵抗力も発生させる。
【００３０】
阻止手段８はそれ自体、図６に図示されている。該阻止手段は、一部分から成る環状要素にて形成されており、該環状要素は、長手方向軸線Ｌの周りで回転し、機構ホルダ３の内面から半径方向内方に突き出す２つの対面する隔たったカラー３ｂの間にて機構ホルダ３に当接する。カラー３ｂは、阻止手段８を軸方向に固定する固定手段を形成する。しかし、阻止手段８が機構ホルダ３内に取り付けられる様子は図５の機構ホルダ３の図面から最も明確に分かる。
【００３１】
更に、投与量設定部材９が機構ホルダ３内に受け入れられている。投与量設定部材９は、ねじ付きナットとして形成され且つピストンロッド４の外ねじと螺着係合している。投与量設定部材９は、機構ホルダ３によって回転しないよう固定されているが、前進方向に及び前進方向と反対方向に軸方向に且つ直線状に動き得るように案内される。ピストンロッド４及び投与量設定部材９は、投与すべき製品の投与量を選ぶため、回転軸駆動体を形成する。
【００３２】
アンプルホルダ１及び機構ホルダ３は互いに接続され、回転し且つ変位しないように固定され、共に注射装置のリザーバモジュール１０を形成し、該リザーバモジュール１０は、阻止手段８を介して機構ホルダ３によって保持されたピストンロッド４と、投与量設定部材９とを備えている。アンプルホルダ１及び機構ホルダ３は共に、注射装置の前側ケーシング部分を形成する。後側ケーシング部分１１は、確実係止状態で上記前側ケーシング部分１、３に接続されている。後側ケーシング部分１１は、供給及び作動装置１２に対する支持体を形成し、また、供給及び作動要素１２、掛止め手段の部品及びその他の部品と共に注射装置の供給及び作動モジュール３０を形成する。
【００３３】
投与量設定部材９、ピストンロッド４及び阻止手段８を除いて、供給及び作動装置は、製品の投与量を選び且つ注射装置を作動させるその他の構成要素を備えている。特に、該装置は供給及び作動要素１２を備えている。供給及び作動装置は、選んだ製品の投与量をカウントし且つ光学的に表示するカウンティング及び表示手段１７を更に備えている。カウンティング及び表示手段１７の何れも供給及び作動モジュール３０を注射装置の高級で、従って、高価な部品とするものではない。比較的低廉なリザーバモジュール１０が使い捨て型モジュールとして設計される一方、供給及び作動モジュール３０は、常に新しいリザーバモジュール１０と共に繰り返して使用することを目的とする。
【００３４】
製品の投与量を選ぶため、すなわち供給するため、供給及び作動要素１２を長手方向軸線Ｌの周りで回転させ且つ後部ケーシング部分１１によって更に取り付け、該要素が長手方向軸線Ｌの周りで前進方向に且つ前進方向と反対方向に直線状に変位し得るようにする。供給及び作動要素１２は中空の円筒状であり且つ前側部分を介してピストンロッド４を取り巻く。供給及び作動要素１２の後側部分は、ケーシング部分１１の後端を越えて突き出す。ロッド形状の供給従動手段１３は、供給及び作動要素１２内に半径方向内方に突き出す供給及び作動要素１２のカラーまで深く後側から挿入する。更に、後端にて、閉塞体１４を供給及び作動要素１２内に供給従動手段１３まで深く挿入する。供給従動手段１３は、供給及び作動要素１２の半径方向に突き出すカラーと閉塞体１４との間にて供給及び作動要素１２に対し軸方向に固定されている。供給従動手段１３はまた供給及び作動要素１２に接続され且つ回転しないよう固定されている。供給の目的のため、供給従動手段１３は中空のピストンロッド１４内に後側から突き出す。ピストンロッド４は、供給従動手段１３と係合する接続部分４ａ（図４）を備えており、ピストンロッド４及び供給従動手段１３、従って供給及び作動要素１２は共通の長手方向軸線Ｌの周りで互いに対して回転することができないが、長手方向軸線Ｌに沿って互いに対し前進方向に且つ前進方向と反対方向に動くことができる。この目的のため、接続部分４ａは、供給従動手段１３に対する直線状案内部として形成される。
【００３５】
戻し手段１６は、前進方向と反対方向に向けて供給及び作動要素１２を弾性的に緊張させて、図３及び図４に示した最初の位置にする。最初の位置において、製品は、供給及び作動要素１２を長手方向軸線Ｌの周りで回転させることで供給することができる。次に、最初の位置から、供給及び作動要素１２を軸方向に変位させることによって選んだ製品投与量を排出することができる。戻し手段１６は、圧力ばねとして機能するら旋ばねによって形成され、該ら旋ばねは、供給及び作動要素１２の周りで環状空隙内に受け入れられ且つ半径方向内方に突き出すケーシング部分１１のカラーと、反対方向に向き且つ半径方向外方に突き出す供給及び作動要素１２のカラーとの間にて軸方向に支持される。
【００３６】
阻止手段８は二重の機能を果たす。一方にて、該阻止手段は、その阻止要素８ａを介してピストンロッド４が機構ホルダ３に対して、特に、アンプル２内に受け入れられたピストンに対して前進方向と反対方向に動いて戻ることができないことを保証する。ブレーキとしてのその二重の機能において、阻止手段８は、投与量設定部材９が前進方向と反対方向に供給及び作動要素１２に向けて軸方向に移動する供給過程の間、ピストンロッド４が前方に動くのを更に防止する。
【００３７】
図３及び図４に示した最初の位置において、供給前、投与量設定部材９は機構ホルダ３によって形成された排出ストッパ３ｃ（図５）に対し前進方向に当接する。ピストンロッド４はピストンと恒久的に接触する位置にある。供給する目的のため、投与量設定部材９は、ピストンロッド４及び線形案内部と螺着係合することにより機構ホルダ３から供給及び作動要素１２に向けて排出ストッパ３ｃから離れるように動く。このことは、供給量設定部材９の後側ストッパ領域と供給及び作動要素１２の前側ストッパ領域との間の僅かな距離を短くするが、他方にて、投与量設定部材９の前側ストッパ領域と排出ストッパ３ｃとの間の僅かな距離を長くする。排出ストッパ３ｃと投与量設定部材９との間の後者の距離は、投与量設定部材９及び−螺着係合の結果−ピストンロッド４が供給及び作動要素１２の排出動作過程にて前進方向に動くときの経路長さである。排出ストッパ３ｃは前側平行移動ストッパを形成する。排出動作する間、ピストンロッド４は、ピストンロッド４に接続されたプランジャ本体により形成されたその前端を介して押し、このため、ピストンロッドはピストンに対して前進方向に又は前進方向と反対方向に動くことができず、また、該ピストンロッドはピストンをアンプル２の出口に向けて前進方向に押す。長手方向軸線Ｌは、製品を供給し且つ排出する目的のため行われる回転及び平行移動の動作軸線を形成する。
【００３８】
供給過程の間、投与量設定部材９が排出ストッパ３ｃに当接するとき、投与量設定部材９及び供給及び作動要素１２が互いの間に示す距離は、排出過程にて選び且つ供給することのできる製品の最大投与量に相応する。供給及び作動要素１２の行程動作は、排出毎に等しい長さである。供給は、単に、投与量設定部材９と排出ストッパ３ｃとの間の距離、従って、排出過程にて供給及び作動要素１２並びに投与量設定部材９が共に移動することのできる経路長さである。
【００３９】
阻止手段８のブレーキ作用、及びこの目的のため、ピストンロッド４と阻止手段８との間に存在するブレーキ係合状態は、図６及び図７の全体図から明らかである。一方にて、阻止手段８は、その各々が阻止手段８の前方の阻止要素８ａのような弾性的に撓む捕捉部により形成された、ブレーキ係合するための２つのブレーキ要素８ｂを備えている。一例としての実施の形態において、阻止手段８は単一の環状要素により形成され、該環状要素から４つの弾性的な捕捉部が当接側にて軸方向に突き出す。捕捉部は、環状要素の周縁の周りで均一に分配された状態に配置されている。相互に対向する２つの捕捉部は、阻止要素８ａを形成し、同様に、相互に対向する状態に配置されたその他の２つの捕捉部はブレーキ要素８ｂを形成する。
【００４０】
従って、ピストンロッド４は、両側部の外面に形成され且つピストンロッド４の長手方向に伸びる２つの戻り阻止手段６と、同様に、相互に対向する側部にてピストンロッド４の長手方向に伸びる２つの前進ブレーキ手段７とを備えている。投与量設定部材９と螺着係合するためのピストンロッド４のねじ部は、ピストンロッド４の略全長に亙って伸びる４つの残りのねじ付き部分５によって形成される。戻り阻止手段６及び前進ブレーキ手段７は、各々、横１列歯によって形成される。しかし、戻り阻止手段６の歯は、前進方向に狭小となり且つ後方を指し、また、前進方向に対し横方向に伸びる阻止領域を備える鋸歯状歯として形成されるが、前進するブレーキ手段７を形成する横２列歯は、前方を指して同程度の阻止効果を有する阻止領域を備えていない。前進するブレーキ手段７の各々の歯は、戻り阻止手段６と比較してより柔軟な歯の輪郭形状を呈する。阻止手段８とピストンロッド４の前進ブレーキ手段７との間のブレーキ係合は、ピストンロッド４が前進するのを防止することを目的とせず、単にかかる前進をより困難にし、ピストンロッド４が、供給する間、前進方向に動かないようにするだけである。前進ブレーキ手段７の歯の前側部及び前進ブレーキ手段７の歯の前側部に接するブレーキ要素８ｂの後側部は、次のような形状とされる、すなわち、供給する間に到達しない限界力を上廻らなければブレーキ係合状態に打ち勝つことができないような形状とされる。この限界力は、戻り阻止手段６の歯を阻止要素８ａの上で前進方向に向けて動かすのに必要な力よりも大きい。限界力は、戻り阻止手段６と阻止要素８ａとの間の当初摩擦力の少なくとも２倍の大きさであることが好ましい。前進動作の過程にて連続的に２回阻止する係合する間に後者の間の摩擦力は漸進的にのみ増大する。一方、ブレーキ係合の限界力は、阻止係合する各々にて前進動作の開始時、直ちに１回の阻止係合から次の阻止係合まで付与しなければならない。しかし、限界力は、排出する間、ユーザを混乱させる程、大きくてはならない。
【００４１】
投与量を選ぶとき、投与量設定部材９による動きに対する応答として、ピストンロッドによる望ましくない前進動作は、原理上、阻止手段８が阻止係合することだけで生じさせることができる。しかし、かかる動作は、阻止係合だけではなくてブレーキ係合によって一層確実に防止される。
【００４２】
リザーバモジュール１０と供給及び作動モジュール３０との間の接続は確実係止である。一方にて、機構ホルダ３とケーシング部分１１との間には、軸方向への相対的動きを防止する掛止め係合状態が存在する。掛止め係合部を越えて、前側ケーシング部分１、３及び後側ケーシング部分１１は、互いに、軸方向に且つ直線状に直接、案内されて、接続され又は切り離されたとき、相対的回転を防止する。後側ケーシング部分１１の１つ又は２つ以上の相応する係合要素と共に、線形案内部を形成する機構ホルダ３の軸方向案内部３ｄは、図５により明確に見ることができる。軸方向案内部３ｄは、案内リブの案内領域によって形成される。軸方向案内部は、また軸方向に伸びる凹所内の案内領域によって形成してもよい。このようにして、軸方向案内通路が得られる。案内リブは、軸方向にテーパーが付けられており、後側ケーシング部分１１の１つ又は２つ以上の係合要素に対し案内通路内に達する挿入漏斗部が形成される。接続の開始時にケーシング部分１、３、１１を更に一層良く中心合わせするため、案内リブもまた半径方向にテーパーが付けられている。後側ケーシング部分１１の１つ又は２つ以上の係合要素は、後側ケーシング部分１１の表面の反対領域、すなわち内面領域の軸方向部分３ｄと同様に形成されることが好ましい。
【００４３】
機構ホルダ３（図５）の第一の雌型掛止め要素３ａと、掛止め要素が半径方向に動くが、軸方向に動かないように後側ケーシング部分１１に接続された掛止めリング２０との間に掛止め係合状態が存在する。掛止めリング２０は、第一の掛止め要素３ａと直接半径方向に係合する第二の雄型掛止め要素２１を形成する。リザーバモジュール１０及び供給及び作動モジュール３０が互いに対し軸方向に動くのを防止する係止／掛止め接続部が第一の掛止め要素３ａと第二の掛止め要素２１との間に存在する。
【００４４】
図３及び図４には、掛止め要素３ａと掛止め係合した掛止め要素２１が図示されている。掛止め要素３ａは、環状支柱と、機構ホルダ３の外面の周りを伸びる溝とにより形成される。環状支柱は溝の後側壁を形成する。第二の掛止め要素２１は、掛止めリング２０の内面から半径方向内方に突き出すカムによって形成され、該カムは、掛止め係止係合状態のとき、後側ケーシング部分１１の内面上を戻し手段２４によって半径方向内方に押されて、受け入れる掛止め要素３ａ内に突き出す。掛止めリング２０のその全体は、後側ケーシング部分１１により形成された内面領域にて戻し手段２４によって半径方向に支持されており、戻し手段２４は、掛止め要素２１のほぼ半径方向伸長部内にて掛止めリング２０の外面に対し押す。掛止めリング２０は、機構ホルダ３を取り巻き且つその全体が戻し手段２４の戻し力に抗して半径方向に前後に動いて、第二の掛止め要素２１が動いて第一の掛止め要素３ａと掛止め係合状態となり且つ該掛止め係合状態から脱するようにすることができる。後側ケーシング部分１１は、掛止めリング２０が半径方向に動くための緊密な摺動案内部を形成する。掛止め要素２１の半径方向の反対側部にて、掛止めリング２０はユーザに対する掛止め解除ボタン２２を形成する。圧力ばねとして形成された戻し手段２４を半径方向に案内するため、案内カムが、掛止め要素２１から反対方向に向いた掛止めリング２０の外面領域から半径方向に突き出す。
【００４５】
掛止め阻止部２５に対し半径方向外方に押す２つの阻止カム２３は、上記案内カムの両側部にて且つ案内カムの軸方向後方にて周方向に向けて掛止めリング２０の外面領域から更に突き出す。阻止カム２３が掛止め阻止部２５に対して当接するため、掛止め要素２１の半径方向への動き−掛止め係合状態が解放される結果となるであろう−は防止される。このように、掛止め要素３ａ、２１の間の掛止め係合状態は掛止め阻止部２５によって確実となる。掛止め係合は、供給及び作動要素１２がその排出動作の終了時にとる解放位置を除いて、供給及び作動要素１２の各位置にて確実とされる。このため、解放位置は、供給及び作動要素１２がその排出動作の過程にて投与量設定部材９と当接し、投与量設定部材９の一部分が機構ホルダ３の排出ストッパ３ｃに対し当接するとき、該供給及び作動要素１２がとる最前方の変位位置と一致する。供給及び作動モジュール３０は未だリザーバモジュールと接続されていないならば、供給及び作動要素１２に対する機械的ストッパは供給及び作動装置のストッパ要素３１によって形成される。一例としての実施の形態において、インジケータ１７を再設定する再設定ホルダリングがストッパ要素３１を形成する。上記ストッパ要素３１と当接する供給及び作動要素１２は、供給及び作動要素１２の解放位置を画成し、この場合、ストッパ要素３１により画成された解放位置は、排出ストッパ３ｃに当接する投与量設定部材９により画成された位置に相応する。
【００４６】
図８には、掛止め阻止部２５が図示されている。一例としての実施の形態において、該掛止め阻止部は、阻止スライダによって単一体として形成される。掛止め阻止部２５は、例えば図４に示すように、組み立てられたとき、軸方向に伸びる板形状の主本体を備えている。支柱２６は一端にて主本体から直角に突き出している。組み立てられたとき、支柱２６は、供給及び作動要素１２まで遠方に半径方向に伸びている。支柱２６は、掛止め阻止部２５を供給及び作動要素１２に締結する作用を果たし、該供給及び作動要素は、この目的のため、外面領域に半径方向に隔てて形成された２つの環状支柱を備えており、該２つの環状支柱は従動手段１５ａ、１５ｂを形成する。前側従動手段１５ａは、同時に戻し手段１６に対する支持カラーを形成する。従動手段１５ａ、１５ｂの間に形成された環状空間内で、掛止め阻止部２５はその支柱２６を介して突き出し且つ、両側部にて２つの従動手段１５ａ、１５ｂにより軸方向に緊密に包み込まれている。
【００４７】
支柱２６から反対方向を向いた前端にて、掛止め阻止部２５の主本体には、掛止阻止部２５の前端に向けて開放する軸方向凹所２７が設けられている。このようにして、凹所２７の両側部にて軸方向に伸びる阻止舌状体２８が形成される。上記阻止カム２３の各々が阻止舌状体２８の１つを押して、供給及び作動要素１２が解放位置とならないように掛止めリング２０の阻止カム２３が配置されている。掛止め阻止部２５が軸方向に動くとき、掛止め要素２１に対する戻し手段２４は、軸方向凹所２７を貫通して伸びている。
【００４８】
引込み凹所２９が掛止め阻止部２５の主本体に更に形成され且つ、供給及び作動要素１２の解放位置を画成する。阻止カム２３の各々に対し１つの引込み凹所２９が設けられる。引込み凹所が阻止カム２３にのみ重なり合い、従って供給及び作動要素１２がその解放位置まで前進したとき、阻止カム２３を挿入することを許容し得るように、引込み凹所２９の位置が選ばれる。
【００４９】
一例としての実施の形態にて特に選んだ配置において、単一の阻止カム２３を提供することもでき、従って、掛止め阻止部２５は、１つのみの引込み凹所２９と、１つのみの阻止舌状体２８とを備えている。更に、掛止め阻止部は、原理上、供給及び作動要素１２と共に単一体として製造することができる。しかし、該掛止め阻止部を別個の部品として形成することがピストンロッド４と協働する供給及び作動要素１２の製造、組み立ての点で有利な効果をもたらす。掛止め阻止部２５の取付け長さに関して、掛止め阻止部２５は、ケーシング１１の内面領域にて掛止め要素２１から反対方向を向くその外側部に支持される。このようにして、掛止め係合を確実にする安定性が向上する。ケーシング１１は、掛止め阻止部２５に対する軸方向案内部を形成することが好ましい。
【００５０】
注射装置の機能について以下に説明するが、ここで、新たなリザーバモジュール１０及び既に１回使用した供給及び作動モジュール３０を組み立て、次に、製品を最初に排出すると想定する。
【００５１】
供給及び作動モジュール３０及び新たなリザーバモジュール１０は、互いに対し軸方向に整合され、その２つの長手方向軸線が互いに面一となるようにする。次に、リザーバモジュール１０をその後端を介してケーシング１１内に挿入し、該ケーシングは供給及び作動モジュール３０の前方に開放している。
【００５２】
このことは、ケーシング部分１、３及びケーシング部分１１を機構ホルダ３の案内リブ３ｄのテーパー付端部上で中心合わせすることになる。摺動する間、掛止め要素３ａ、２１の掛止め係合状態が確立され、又はそれ自体で設定することができる接続端部位置をケーシング部分１、３、１１がとる迄、２つのケーシング部分は、線形案内部により予め設定された回転角度位置にて互いに軸方向に且つ直線状に案内される。
【００５３】
供給及び作動要素１２は、後側ケーシング部分１１に対し予め設定した回転角度位置に係止される。ケーシング部分１、３、１１の線形案内部、供給及び作動要素１２の回転角度係止位置は互いに調節され、供給及び作動要素１２とピストンロッド４との間にて回転しないよう固定された係合状態が供給及び作動要素１２の各係止位置にて確立され、また、ケーシング部分１、３、１１が互いに直線状に案内される回転角度位置の各々にて確立されるようにする。
【００５４】
供給及び作動要素１２が解放位置の後方のケーシング部分１１に対する軸方向位置に配置されたならば、掛止め要素２１は掛止め阻止部２５によってその半径方向最内方位置に保持される。掛止め要素２１のこの位置において、供給及び作動モジュール３０並びにリザーバモジュール１０は、接続端部位置まで互いに摺動することができず、従って、互いに接続することもできない。それは、機構ホルダ３の外面に形成され、第一の掛止め要素３ａの一部を形成する環状支柱が最初に、第二の掛止め要素２１に当接する休止位置となるからである。
【００５５】
かかる突出部及び第二の掛止め要素２１が最初に軸方向に面一に休止する位置である、回転角度位置にてのみケーシング部分１、３、１１を組み立てることができるならば、環状支柱は、接線方向に僅かに半径方向に突き出す部分まで縮小させることができる。また、環状支柱又は半径方向突出部は第一の掛止め要素３ａのみを形成してもよく、それは、第一の掛止め要素３ａの必須の機能は、供給及び作動要素１２がその解放位置となるときにのみ、リザーバモジュール１０と供給及び作動モジュール３０との間の接続が確立されることを許容することであるからである。この状態が実現されたならば、次に、リザーバモジュール１０と供給及び作動モジュール３０との間の接続が確立されたとき、投与量設定部材９が機構ホルダ３の排出ストッパ３ｃに当接するその投与零位置に配置されることを供給及び作動要素１２が保証する。
【００５６】
上述した状態を実現するため、ユーザは供給及び作動要素１２を解放位置まで遠方に後側ケーシング部分１１に対し軸方向に前方に出す。後側ケーシング部分１１と、供給及び作動要素１２との間のこの相対的位置において、阻止カム２３は、掛止め阻止部２５の引込み凹所２９内に動かすことができる。従って、ユーザは、供給及び作動要素１２を少なくとも解放位置まで遠方に押すのみならず、これと同時に、第一の掛止め要素２０を掛止め解除ボタン２２によって掛止め係合状態外に押す。次に、リザーバモジュール１０を第一の掛止め要素３ａの環状支柱の上を軸方向に動かし且つ、後側ケーシング部分１１内に更に挿入することができる。ユーザは掛止め解除ボタン２２を解放することができる。第一の掛止め要素２１が第二の掛止め要素３ａに重なると直ちに、該第一の掛止め要素は、戻し手段２４の力によって受け入れる掛止め要素３ａ内にスナップ嵌めし、掛止め係合状態が確立される。次に、リザーバモジュール１０及び供給及び作動モジュール３０を供給設定部材９及びピストンロッド４の位置に対して確立された仕方にて互いに接続する。掛止め係合状態が確立される前に、投与量設定部材９が依然として排出ストッパ３ｃから僅かな距離を示すならば、この距離は、接続を確立するために必要とされる供給及び作動要素１２の動作によって解消される。注射針をプライミングする目的のため、それに伴って製品を排出することが許容可能であり且つ望ましい。このことは、カウンティング及び表示手段１７を零に再設定することが好ましい。
【００５７】
このようにして生じさせた規定した最初の状態において、ユーザは製品を供給することができる。供給及び作動要素１２を長手方向軸線Ｌの周りで且つ、ケーシング部分１１に対して回転させることで製品は供給される。供給従動手段１３は、供給及び作動要素１２に接続され、回転しないよう固定されるため、また、その一部がピストンロッド４と係合し、回転しないよう固定されるため、供給及び作動要素１２は、その回転供給動作の間、ピストンロッド４を従動させる。ピストンロッド４と投与量設定部材９との間の螺着係合状態及び投与量設定部材９を機構ホルダ３によって直線状に案内することによって、投与量設定部材９は、相互的な螺着係合状態のねじピッチにより予め設定された軸方向への平行移動供給動作を供給及び作動要素１２に向けて実行する。供給及び作動要素１２は、後側平行移動ストッパ１２ｃを形成し、該ストッパは、投与量設定部材９の平行移動可能な供給動作を制限し、従って設定可能な最大の排出行程を画成する。
【００５８】
カウンティング及び表示手段１７は、供給及び作動要素１２の回転角度位置に相応する投与量単位をカウントし且つ、その値を光学的に表示する。
所望の製品投与量が選ばれたならば、供給過程は完了する。選ばれた製品投与量は、ピストンの前進方向に向けて供給及び作動要素１２排出動作を行うことにより排出される。その排出動作の過程にて、供給及び作動要素１２が投与量設定部材９に当接し且つ、該部材を従動させる。投与量設定部材９が排出動作の過程中、機構ホルダ３の排出ストッパ３ｃに当接するとき、供給及び作動要素１２の排出動作及び製品の排出が完了する。ユーザが供給及び作動要素１２を解放させたならば、該要素は、戻し手段１６によって前進方向と反対方向に動かし、製品を再度供給し且つ排出する新たな最初の位置に戻すことが好ましい。カウンティング及び表示手段１７は、供給及び作動要素１２に結合され、該手段が間もなく零に再設定されて戻るようにすることが好ましい。該手段は、既に排出された製品の合計量、従って、アンプル２内に残る製品の残留量をカウントし且つ表示する手段を有することが可能である。
【００５９】
リザーバモジュール１０を供給及び作動モジュール３０から取り外すため、供給及び作動要素１２は解放位置まで遠方に、すなわち該要素が投与量設定部材９に当接する迄、供給及び作動要素１２を前進させる。この位置において、ユーザは、掛止め解除ボタン２２を押すことにより掛止め係合状態を再度、解放し、リザーバモジュール１０を供給及び作動モジュール３０から分離することができる。
【００６０】
図９から図１３には、注射装置の第二の一例としての実施の形態の長手方向断面図及び４つの断面図が図示されている。第二の一例としての実施の形態の注射装置は、掛止め及び掛止め阻止部２５に関して第一の一例としての実施の形態におけるものと同一であり、このため、この点に関して、第一の一例としての実施の形態に関する説明を参照する。特に、第二の一例としての実施の形態による掛止め阻止部２５は、その作用可能な細部の全てに関して第一の一例としての実施の形態におけるものと同一である。このことは、掛止め要素３ａ、２１にも当てはまる。
【００６１】
装置が最初の状態にあるときの掛止めリング２０、及び掛止め要素２１及び掛止め阻止部２５に対する阻止カム２３の位置を図１０、図１１及び図１２の断面図に特に明確に見ることができ、この点に関しても、第一の一例としての実施の形態の代表例として、これら図面を参照する。
【００６２】
第二の一例としての実施の形態による注射装置は、供給に関係する構成要素の係合及び動きが進む点にて、第一の一例としての実施の形態と相違する。更に、機構ホルダは、第一の一例としての実施の形態における機構ホルダの作用に加えて特に、供給の目的のため、機構ホルダに対して変更可能である別個の回転角度位置に投与量設定部材を配置するという作用を果たす。これに反して、第二の一例としての実施の形態による阻止手段は、第一の一例としての実施の形態によるものよりも簡単に具体化される。主として、第一の一例としての実施の形態と比較して、相違する点のみを以下に説明し、第一の一例としての実施の形態におけると同一の参照番号で示す構成要素とその基本的機能の点で同一であるが、細部の点で相違する構成要素に対し、最後の数字が等しい３０番台の数字、又は第一の一例としての実施の形態におけるものと正確に同一の参照番号が使用される。第二の一例としての実施の形態に関して何ら説明がない場合、第一の一例としての実施の形態に関する相応する説明が当てはまる。
【００６３】
第二の一例としての実施の形態において、後側ケーシング１１に対し軸方向に且つ直線状に動かし、また、長手方向軸線Ｌの周りで回転することができる供給及び作動要素３２は、投与量設定部材３９に接続され、回転しないよう固定される。供給及び作動要素３２及び投与量設定部材３９は、互いに且つケーシング部分１、３、１１に対し前進方向に且つ前進方向と反対方向に動かすことができる。ピストンロッド４は、機構ホルダ３によって保持され、回転しないよう固定されている。機構ホルダ３に単一体として形成された阻止手段３８の阻止要素と協働して、第一の一例としての実施の形態と機能的に同一である戻し阻止手段６は、ピストンロッド４が前進方向と反対方向に動くのを防止するが、該ピストンロッドが前進方向に動くのを許容する。阻止要素は、ピストンロッド４に対する阻止阻止部及び回転可能な阻止部を同時に形成する。更に、先の第一の一例としての実施の形態におけるように、供給及び作動要素３２は、ピストンロッド４に対する摺動案内部を形成する。
【００６４】
供給する間、供給及び作動要素３２は、第一の一例としての実施の形態における供給及び作動要素１２と同一の回転供給動作を行う。しかし、係合状態が回転しないよう固定されるため、投与量設定部材３９は、回転供給動作の間、従動する。ピストンロッド４と投与量設定部材３９との間の螺着係合状態は、同様に、第一の一例としての実施の形態におけるものと同程度であり、回転供給動作及びピストンロッド４と螺着係合状態となることのため、投与量設定部材３９により形成されたストッパ３９ｃは、供給する過程にて、前進方向と反対方向に、供給及び作動要素３２の前端に向けて動く。第一の一例としての実施の形態と相違して、供給する間、ピストンロッド４が静止している間、投与量設定部材３９は、前側ケーシング部分に対する回転供給動作及び平行移動供給動作を完了する。供給が完了したならば、供給及び作動要素３２の排出動作は、供給量によって設定された、投与量設定部材３９のストッパ領域と機構ホルダ３の排出ストッパ３ｃとの間の僅かな距離に相応する経路長さだけ、ピストンロッド４を前進させる。
【００６５】
投与量設定部材３９の平行移動供給動作は、後側ケーシング部分１１自体によって直接形成された後側平行移動ストッパ１１ｃにより前進方向と反対の方向に制限される。第二の一例としての実施の形態においても製品の供給及び排出に関係する構成要素の回転可能で且つ平行移動可能な軸線は長手方向軸線Ｌを形成する。
【００６６】
第一の一例としての実施の形態におけるように、前側ケーシング部分１、３は投与量設定部材３９に対する摺動案内部を形成する。摺動案内部を形成するため、機構ホルダ３の内面領域及び投与量設定部材３９の外面領域は互いに摺動接触する。供給及び作動要素３２は、投与量設定部材３９の内面と係合して、投与量設定部材３９と供給及び作動要素３２との間に回転しないよう固定された接続部を形成する。
【００６７】
第二の一例としての実施の形態において、ピストンロッド４は戻し阻止手段６を超える、それ自体のブレーキ手段を何ら備えていない。戻し阻止手段６の鋸歯状歯の前側部は、また、それ自体にブレーキ手段を形成する。しかし、第二の一例としての実施の形態のピストンロッド４は、第一の一例としての実施の形態におけるピストンロッド４と置換してもよい。従って、第二の一例としての実施の形態における機構ホルダ３は、この場合、第一の一例としての実施の形態における少なくとも１つのブレーキ要素、好ましくは、双方のブレーキ要素も形成しなければならないであろう。
【００６８】
図１４から図１６には、斜視図、側面図並びに側面図に示したＡ−Ａに沿った断面図にて第二の一例としての実施の形態における機構ホルダ３が図示されている。第一の一例としての実施の形態におけるように、機構ホルダ３は、単一体スリーブ部分、好ましくは、射出成形した部分として具体化される。該機構ホルダは、前側スリーブ部分の外面に拡大部３ｅを備えている。前側スリーブ部分はリザーバ部分１内に差し込まれ且つ、少なくともユーザに対し、拡大部３ｅによってリザーバ部分１に取り外し不能に係止されている。
【００６９】
掛止め要素３ａは、第一の一例としての実施の形態におけるように、機構ホルダ３の中間スリーブ部分に形成されている。
掛止め要素３ａに接続された後側スリーブ部分がその外周面に複数の軸方向案内部３ｄを形成する。軸方向案内部３ｄは、後側スリーブ部分の外周にて半径方向に突き出す案内リブによって形成される。より正確には、上記案内リブの軸方向に伸びる直線状側壁により形成された軸方向案内部が形成され、このため、−第一の一例としての実施の形態におけるように−軸方向への案内通路が得られる。案内リブが指状体のような中間スリーブ部分から機構ホルダ３の後端まで遠方に突き出し、該箇所にて、これら案内リブは軸方向にテーパーが付けられる。軸方向案内部３ｄは、リザーバモジュール１０が供給及び作動モジュール３０に接続されたとき、後側ケーシング部分１１を直線状に案内する作用を果たす。図９及び最も明確に図１１にて見得るように、係合要素１１ｄは、相応する数及び適応させた形状にて後側ケーシング部分１１の内面領域から半径方向内方に突き出している。１つの係合要素１１ｄが軸方向案内部３ｄの各々内に突き出しており、前側ケーシング部分１、３及び後側ケーシング部分１１が互いの内部に摺動して接続されるようにしたとき、軸方向案内部３ｄによって直線状に案内される。このようにして、供給及び作動要素３２と投与量設定部材３９との間に回転しないように固定された係合状態が接続する過程にて確立されたとき、前側ケーシング部分１、３と後側ケーシング部分１１との間に相対的回転は何ら存在しないことが保証される。
【００７０】
案内リブはその後端にて軸方向にテーパーが付けられており、このため、案内通路の幅が挿入漏斗状部分内に拡がるため、接続の目的のため、前側ケーシング部分１、３と後側ケーシング部分１１との間の中心合わせは一層容易となる。案内リブはまた、機構ホルダ３の表面領域に対して半径方向にその端部にてテーパーが付けられており、このことは、軸方向案内部３ｄにより予め設定された回転角度位置にてケーシング部分１、３、１１を互いに対し中心合わせすることを一層容易にする。
【００７１】
前側ケーシング部分１、３及び後側ケーシング部分１１はこれら部分を互いの内部に摺動させるとき、互いに対して回転するのが防止されるのと丁度同様に、投与量設定部材３９はまた、前側ケーシング部分１、３に対するその回転角度位置に対し固定されており、投与量設定部材３９は、供給に必要な投与量設定部材３９の回転動作を許容し得るように取り外し可能に固定されている。このため、前側ケーシング部分１、３と後側ケーシング部分１１との間に接続部を確立することにより、一方にて投与量設定部材３９の供給動作を可能にするが、望ましくない供給動作を防止するため、投与量設定部材３９は、解放可能な係止接続部によって別個の回転角度位置に機構ホルダ３によって固定される。
【００７２】
図１７から図２０には、投与量設定部材３９の個別の図が図示されている。係止接続部を形成するため、多数の係止凹所３９ｇが周縁上に規則的な分離状態にて分配された投与量設定部材３９の外面領域に形成されている。係止凹所３９ｇの各々は、その断面にて伸びる丸味を付けた輪郭形状を有する直線状に軸方向に伸びる溝状すじによって形成される。
【００７３】
機構ホルダ３には、２つの係止突起３ｇ（図１５及び図１６）が設けられている。２つの係止突起３ｇは、機構ホルダ３の後側スリーブ部分の機構ホルダ３の内面領域から半径方向内方に突き出している。これら係止突起は、互いに対し直線上で対向する位置に配置されている。係止突起３ｇの１つが形成された機構ホルダ３のそれぞれの表面領域は、半径方向に弾性的に可撓性であるばね要素３ｆを形成する。係止突起３ｇは弾性的に可撓性であり且つ、丸味を付けた形状であるため、係止凹所３９ｇの丸味を付けた輪郭形状と相俟って、係止突起３ｇと対向する係止凹所３９ｇとの間の係止係合状態を解放することができる。このことは、投与量を選ぶために必要である。しかし、他方にて、投与量設定部材３９が十分に安定的に回転角度位置に固定され、供給及び作動要素３２と供給及び作動要素３２との間に回転可能な結合が確立されたとき、前側ケーシング部分１、３及び後側ケーシング部分１１が接続される場合、投与量設定部材３９の望ましくない供給動作は何ら生じないような係止係合状態となるような設計とされている。機構ホルダ３と投与量設定部材３９との間の係止接続部は、供給する間、触覚的信号による有益な副次的効果がある。ばね要素３ｆを好ましい弾性を保つため、機構ホルダ３の後側スリーブ部分は該当する表面領域にて切欠いており、ばね要素３ｆは、両側部にて軸方向に自由な周方向に伸びる環状部分として維持される。
【００７４】
投与量設定部材３９と供給及び作動要素３２との間の回転しないよう固定された係合状態とするための軸方向案内部３９ｄが同様に、図１７、図１８及び図２０に見ることができる。供給及び作動要素３２には、供給及び作動要素３２と投与量設定部材３９との間に軸方向の直線状案内部、すなわち回転可能な阻止部を形成するため、少なくとも１つの係合要素が設けられている。軸方向案内部３９ｄは、この場合にも、軸方向に直線にて伸びる多数の案内リブにより形成された案内通路である。案内リブの各々は、供給及び作動要素３２を向いたその後端にて軸方向に及び半径方向にテーパーが付けられており、回転しないよう固定された係合状態が確立されたとき、供給及び作動要素３２と、投与量設定部材３９との間の中心合わせを一層容易にする。このため、例えば、ケーシング部分１、３、１１を軸方向に直線状に案内する場合のように、投与量設定部材３９及び供給及び作動要素３２を軸方向に直線状に案内するため同一の設計が使用される。
【００７５】
完全を期すため、図１８に最も明確に見ることができる、投与量設定部材３９の供給ねじ部３９ａ及び排出ストッパ３９ｃについても説明する。
最後に、投与量設定部材３９の２つの軸方向端部位置にて作用可能な２つの回転可能な阻止部が投与量設定部材３９に対して提供される。この点に関して、図２２を更に参照する。
【００７６】
投与量設定部材３９による回転供給動作に応答してピストンロッド４が後方に動く可能性を防止するため、投与量設定部材３９の前端に回転ストッパ３９ｈが形成されている。製品が排出された直後又は投与量が選ばれる前に、投与量設定部材３９がとる前方位置において、回転ストッパ３９ｈは機構ホルダ３に形成された回転可能な釣り合いストッパ３ｈと係合する（図１６）。回転ストッパ３９ｈは、投与量設定部材３９の前側当接側部から軸方向に突き出し、回転可能な釣り合いストッパ３ｈは、機構ホルダ３の軸方向を向いた当接領域から突き出して、回転ストッパ３９ｈに対し軸方向に対向した排出ストッパ３ｃを形成する。回転ストッパ３９ｈと回転可能な釣り合いストッパ３ｈとの間の係合状態は、投与量設定部材３９が排出ストッパ３ｃから離れた方向を向く平行移動供給動作を生じさせる回転方向への回転供給動作は許容するが、前方軸方向端部位置にて回転反対方向への回転供給動作を阻止するようにされている。
【００７７】
更に、基本的に、ストッパ３ｈ、３９ｈと同一の仕方にて形成され且つ、協働する別の対の回転ストッパ及び回転可能な釣り合いストッパが提供される。上記第二の対の回転ストッパは、一方にて、投与量設定部材３９の後側当接領域から軸方向に突き出す回転ストッパ３９ｉであり、また、他方にて、後側平行移動可能なストッパ１１ｃのストッパに向けた当接領域から投与量設定部材３９に向けて軸方向に突き出す回転可能な釣り合いストッパ１１ｉであるが、これらは、その寸法が小さいため、図９にて見ることはできない。後端位置において、後側対の回転ストッパ１１ｉ／３９ｉは、後側平行移動可能なストッパ１１ｃに対して向けられた、投与量設定部材３９による供給動作に応答してピストンロッド４が前進方向に動く可能性を防止する。
【００７８】
回転ストッパ３ｈ、３９ｈ、１１ｉ、３９ｉの全ての高さ、すなわち軸方向長さは、ピストンロッド４及び投与量設定部材３９の係合した供給ねじのねじピットとなるように調節される。回転ストッパは、軸方向に十分に短く、このため、投与量設定部材３９をそれぞれの平行移動可能なストッパ３ｃ又は１１ｃから離れるように動かす回転供給動作が妨害されることはない。
【００７９】
リザーバモジュール１０の構成要素を組み立てるとき、投与量設定部材３９は、図９から分かるように、予め設定した軸方向位置まで遠方にピストンロッド４にねじ込まれる。次に、ピストンロッド４を、ねじ止めした投与量設定部材３９と共に、その阻止手段３８がピストンロッド４の戻し阻止手段６と係合し、更に、投与量設定部材３９の回転ストッパ３９ｈと機構ホルダ３の回転可能な釣り合いストッパとの間に回転しないように固定された係合状態が確立される迄、後方から機構ホルダ３内に挿入する。投与量設定部材３９は、機構ホルダ３内に挿入される間でさえ、投与量設定部材３９が機構ホルダ３の排出ストッパ３ｃと当接する迄、係止突起３ｇと係止凹所３９ｇとの間の係止係合を介して機構ホルダ３によって軸方向に且つ直線状に案内される。機構ホルダ３に対する投与量設定部材３９のこの前端位置において、回転ストッパ３ｈ、３９ｈ間の回転しないように固定された係合状態が確立される。
【００８０】
この状態において、機構ホルダ３及び既にリザーバが装着されたリザーバ部分１は互いに接続される。
後続のステップにおいて、完全に組み立てた供給及び作動モジュール３０の後側ケーシング部分１１は、機構ホルダ３まで摺動し、この位置において、機構ホルダ３及び後側ケーシング部分１１は、後側案内部３ｄ及び後側ケーシング部分１１の係合要素１１ｄのため、互いに中心合わせすることができ、一度び、中心合わせされたならば、案内係合によって互いに軸方向に且つ、直線状に案内される。後側ケーシング部分１１を機構ホルダ３まで摺動させる過程中、供給及び作動要素３２は、投与量設定部材３９と係合し、回転しないように固定されて、この場合にも、最初に、軸方向案内部３ｄに相応する直線状案内部及び係合要素１１ｄを使用して特定の中心合せすることが可能である。
【００８１】
供給及び作動要素３２は、別個の回転角度係止位置において、後側ケーシング部分と係止係合しており、また、係止係合状態において、すなわちそれぞれの回転角度係止位置において、軸方向に且つ直線状に案内される。２つの連続的な回転角度係止位置の間の回転角度の差は、１回の投与量単位に相応する。一方にて機構ホルダ３と後側ケーシング部分１１との間の直線状案内部、及び他方にて機構ホルダ３に対する投与量設定部材３９（係止突起３ｇ及び係止凹所３９ｇ）の別個の回転角度位置及び後側ケーシング部分１１に対する供給及び作動要素３２の回転角度位置は、互いに調節されて、２つのケーシング部分１、３、１１は、常に、回転角度位置にて互いの上を直線状に摺動し、投与量設定部材３９及び供給及び作動要素３２もまた、回転しないように固定されたそれらの係合のため互いに対して整合され、リザーバモジュール１０が供給及び作動モジュール３０に接続されている間、供給に関係した構成要素間に相対的回転が何ら存在しないようにする。
【００８２】
組み立てのその他の詳細、特に、第二の一例としての実施の形態に従って注射装置の掛止め係合を確立すること及び注射装置の機能の詳細について、第一の一例としての実施の形態に関して説明する。
【００８３】
第一の一例としての実施の形態における投与量設定部材９の２つの軸方向端部位置において、ピストンロッド４による望ましくない応答動作を防止する回転可能な阻止部を注射装置内に設けることもできる。図２１には、第二の一例としての実施の形態における回転プロックと同一の仕方にて形成された２つの回転可能な阻止部が示されている。しかし、第二の一例としての実施の形態にてケーシング部分１、３、１１に形成された回転可能な釣り合いストッパは、第一の実施の形態において、一方にて阻止手段８により、また、他方にて供給及び作動要素１２により形成される。このように、多数の回転ストッパ８ｈが投与量設定部材９に対して軸方向に向けた阻止手段８の当接側部に形成され、また、投与量設定部材９に向け軸方向に突き出す。阻止手段８は前側ケーシング部分１、３によって軸方向に且つ動かないように取り付けられ、また、ピストンロッド４に接続され、回転しないように固定されているため、正面側の対の回転ストッパ８ｈ／９ｈを介してピストンロッド４と投与量設定部材９との間に回転投与動作に対する回転可能な阻止部が得られる。投与量設定部材９と後側平行移動ストッパ１２ｃとの間に第二の対の回転ストッパが形成される。第二の一例としての実施の形態におけるように、投与量設定部材９に軸方向に向いた平行移動可能なストッパ１２ｃの当接領域から多数の回転ストッパ１２ｉが投与量設定部材９に向けて軸方向に突き出している。第二の一例としての実施の形態におけるように、投与量設定部材９の後側部には、回転ストッパ９ｉが設けられており、該ストッパ９ｉは、投与量設定部材９が軸方向後端位置にあるとき、回転ストッパ１２ｉと係合する。投与量設定部材９が軸方向後端位置にあるとき、後側対の回転ストッパ９ｉ／１２ｉは、投与量設定部材９が前進方向に向けて平行移動的な供給動作を行うようにする回転供給動作のみを許容する。
【参照番号】
【００８４】
１    リザーバ部分、アンプルホルダ
２    リザーバ、アンプル
３    機構ホルダ
３ａ    第一の掛止め要素
３ｂ    固定手段
３ｃ    排出ストッパ、変位手段
３ｄ    軸方向案内部
３ｅ    拡大部
３ｆ    ばね要素
３ｇ    係止突起
３ｈ    回転ストッパ
４    ピストンロッド
４ａ    接続部分
５    ねじ付き部分
６    戻り阻止手段、横列歯
７    前進ブレーキ手段、横列歯
８    阻止手段８
８ａ    阻止要素
８ｂ    ブレーキ要素
８ｈ    回転ストッパ
９    投与量設定部材
９ｈ    回転ストッパ
９ｉ    回転ストッパ
１０    リザーバモジュール
１１    後側ケーシング部分
１１ｄ    係合要素
１１ｉ    回転ストッパ
１２    供給及び作動要素
１２ｉ    回転ストッパ
１３    供給従動手段
１４    閉塞体
１５ａ    従動手段、環状支柱
１５ｂ    従動手段、環状支柱
１６    戻し手段
１７    カウンティング及び表示手段
１８    −
１９    −
２０    掛止めリング
２１    第二の掛止め要素
２２    掛止め解除ボタン
２３    阻止カム
２４    戻し手段
２５    掛止め阻止部
２６    従動手段、支柱
２７    軸方向凹所
２８    阻止舌状体
２９    引込み凹所
３０    供給及び作動モジュール
３１    ストッパ要素
３２  供給及び作動要素
３３−３７    −
３８    阻止手段
３９    投与量設定部材
３９ａ    供給ねじ部
３９ｃ    排出ストッパ
３９ｄ    軸方向案内部
３９ｇ    係止凹所、軸方向案内部
３９ｈ    回転ストッパ
３９ｉ    回転ストッパ
【図面の簡単な説明】
【００８５】
【図１】第一の一例としての実施の形態によるリザーバモジュールの２つの部分を示す図である。
【図２】図１の２つの部分から得られたリザーバモジュールの図である。
【図３】第一の一例としての実施の形態に従い、図２のリザーバモジュールを備える注射装置の長手方向断面図である。
【図４】図３の注射装置の一部分を示す図である。
【図５】リザーバモジュールの機構ホルダの長手方向断面図及び２つの図である。
【図６】機構ホルダにより取り付けられたピストンロッド用の阻止手段の図である。
【図７】ピストンロッドの長手方向断面図及び正面図である。
【図８】掛止め阻止部の長手方向断面図、１つの図及び頂面図である。
【図９】注射装置の第二の一例としての実施の形態の図である。
【図１０】図９のＡ−Ａに沿った断面図である。
【図１１】図９のＢ−Ｂに沿った断面図である。
【図１２】図９のＣ−Ｃに沿った断面図である。
【図１３】図９のＤ−Ｄに沿った断面図である。
【図１４】第二の一例としての実施の形態による機構ホルダを示す斜視図である。
【図１５】図１４の機構ホルダの図である。
【図１６】図１５のＡ−Ａに沿った断面図である。
【図１７】第二の一例としての実施の形態による投与量設定部材を示す斜視図である。
【図１８】図１７の投与量設定部材を示す長手方向断面図である。
【図１９】図１７の投与量設定部材を示す図である。
【図２０】図１７の投与量設定部材を示す頂面図である。
【図２１】図３による注射装置の一部分を示す図である。
【図２２】図９による注射装置の一部分を示す図である。
【国際公開パンフレット】
2004535902.tif 000003
2004535902.tif 000004
2004535902.tif 000005
2004535902.tif 000006
2004535902.tif 000007
2004535902.tif 000008
2004535902.tif 000009
2004535902.tif 000010
2004535902.tif 000011
2004535902.tif 000012
2004535902.tif 000013
2004535902.tif 000014
2004535902.tif 000015
2004535902.tif 000016
2004535902.tif 000017
2004535902.tif 000018
2004535902.tif 000019
2004535902.tif 000020
2004535902.tif 000021
2004535902.tif 000022
2004535902.tif 000023
2004535902.tif 000024
2004535902.tif 000025
2004535902.tif 000026
2004535902.tif 000027
2004535902.tif 000028
2004535902.tif 000029
2004535902.tif 000030
2004535902.tif 000031
2004535902.tif 000032
2004535902.tif 000033
2004535902.tif 000034
2004535902.tif 000035
2004535902.tif 000036
2004535902.tif 000037
2004535902.tif 000038
2004535902.tif 000039
2004535902.tif 000040
2004535902.tif 000041
2004535902.tif 000042
2004535902.tif 000043
2004535902.tif 000044
2004535902.tif 000045
2004535902.tif 000046
2004535902.tif 000047
2004535902.tif 000048
2004535902.tif 000049
2004535902.tif 000050
2004535902.tif 000051
2004535902.tif 000052
2004535902.tif 000053
2004535902.tif 000054
2004535902.tif 000055
2004535902.tif 000056
2004535902.tif 000057
2004535902.tif 000058
2004535902.tif 000059
【国際公開パンフレット（コレクトバージョン）】
2004535902.tif 000060
2004535902.tif 000061
【国際調査報告】
2004535902.tif 000062
2004535902.tif 000063
2004535902.tif 000064
2004535902.tif 000065
2004535902.tif 000066
2004535902.tif 000067